(57)【要約】【課題】相間短絡を防止できる複数極の電磁継電器を提供すること。【解決手段】電磁継電器が、第１導電部（３）を収容する第１収容部（１４）と、第１収容部（１４）に対して接離方向に隣接しかつ第２導電部（４）を収容する第２収容部（１５）と、第１収容部（１４）と第２収容部（１５）とを仕切る絶縁壁部（１７）とを有するハウジング（１０）を備える。第１収容部（１４）が、絶縁壁部（１７）の高さ方向の一端部の第１収容部（１４）側に設けられた第１底面（１４１）と、絶縁壁部（１７）の高さ方向の他端部の第１収容部（１４）側に設けられた第１開口部（１４２）とを有すると共に、第２収容部（１５）が、絶縁壁部（１７）の高さ方向の他端部の第２収容部（１５）側に設けられた第２底面（１５１）と、絶縁壁部（１７）の高さ方向の一端部の第２収容部（１５）側に設けられた第２開口部（１５２）とを有する。【選択図】図３
2019032946.tif 000002
【特許請求の範囲】
【請求項１】
箱形の絶縁性のハウジングと、
前記ハウジングに固定され、前記ハウジングの外部から前記ハウジングの内部まで延びていると共に、前記ハウジングの内部に位置する第１固定接点部を有する板状の第１固定接点側端子と、
前記ハウジングに固定され、前記ハウジングの外部から前記ハウジングの内部まで延びていると共に、前記第１固定接点側端子に対して電気的に独立して配置されている板状の第１可動接点側端子と、
前記ハウジングの内部に配置されかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する第１可動接触片と、
前記ハウジングに固定され、前記ハウジングの外部から前記ハウジングの内部まで延びかつ前記第１固定接点側端子および前記第１可動接点側端子に対して電気的に独立して配置されていると共に、前記ハウジングの内部に位置する第２固定接点部を有する板状の第２固定接点側端子と、
前記ハウジングに固定され、前記ハウジングの外部から前記ハウジングの内部まで延びていると共に、前記第１固定接点側端子、前記第１可動接点側端子、および、前記第２固定接点側端子に対して電気的に独立して配置されている板状の第２可動接点側端子と、
前記ハウジングの内部に配置されかつ前記第２可動接点側端子と電気的に接続されていると共に、前記第２固定接点部に対向する第２可動接点部を有し、前記第２可動接点部が前記第２固定接点部に対して前記接離方向に弾性変形する第２可動接触片と
を備え、
前記第１固定接点側端子、前記第１可動接点側端子、および、前記第１可動接触片が第１導電部を構成し、前記第２固定接点側端子、前記第２可動接点側端子、および、前記第２可動接触片が第２導電部を構成し、前記第１導電部と前記第２導電部とが、前記接離方向に並んで配置されており、
前記ハウジングが、
前記ハウジングの内部に配置され、前記第１導電部を収容する第１収容部と、
前記第１収容部に対して前記接離方向に隣接した状態で前記ハウジングの内部に配置され、前記第２導電部を収容する第２収容部と、
前記第１収容部と前記第２収容部とを仕切る絶縁壁部と
を有し、
前記第１収容部が、前記絶縁壁部の前記接離方向に交差する高さ方向の一端部の第１収容部側に設けられた第１底面と、前記絶縁壁部の前記高さ方向の他端部の第１収容部側に設けられた第１開口部とを有すると共に、
前記第２収容部が、前記絶縁壁部の前記高さ方向の前記他端部の第２収容部側に設けられた第２底面と、前記絶縁壁部の前記高さ方向の前記一端部の第２収容部側に設けられた第２開口部とを有する、電磁継電器。
【請求項２】
前記収容部に配置されかつ異なる方向の電流が供給可能な電磁石部と、
前記接離方向および前記絶縁壁部の前記高さ方向に交差する方向に延びる回動軸周りに回動可能に前記ハウジングの内部の回動ブロック配置空間に配置されて、前記電磁石部に供給された電流の方向に応じて前記ハウジングに対して異なる方向に回動する回動ブロックと、
前記ハウジングの内部に配置されかつ前記回動ブロックの前記回動軸に交差する方向の一端および前記第１可動接触片に接続されていると共に、前記回動ブロックの回動方向に応じて移動して前記第１可動接触片を弾性変形させて前記第１可動接点部を前記第１固定接点部に対して接触または開離させる第１可動部材と、
前記ハウジングの内部に配置されかつ前記回動ブロックの前記回動軸に交差する方向の他端および前記第２可動接触片に接続されていると共に、前記回動ブロックの回動方向に応じて移動して前記第２可動接触片を弾性変形させて前記第２可動接点部を前記第２固定接点部に対して接触または開離させる第２可動部材と
を備え、
前記ハウジングが、前記第１収容部および前記第２収容部に対して前記接離方向に並んで配置され、前記電磁石部、前記回動ブロック、前記第１可動部材、および、前記第２可動部材を有する駆動ユニットを収容する駆動ユニット収容部を有し、
前記駆動ユニット収容部が、前記絶縁壁部の前記高さ方向の前記一端部の駆動ユニット収容部側に設けられた第３底面と、前記絶縁壁部の前記高さ方向の前記他端部の駆動ユニット収容部側に設けられた第３開口部とを有する、請求項１の電磁継電器。
【請求項３】
前記第１固定接点側端子と前記第１可動接点側端子との間に、前記第２固定接点側端子と前記第２可動接点側端子とが配置されている、請求項１または２の電磁継電器。
【発明の詳細な説明】
【技術分野】
【０００１】
本発明は、複数極の電磁継電器に関する。
【背景技術】
【０００２】
特許文献１に開示されている電磁継電器は、内部に収容部を有する矩形箱形のハウジングと、このハウジングに固定された２つの固定接点側端子および２つの可動接点側端子とを備えている。この電磁継電器の収容部には、各固定接点側端子に設けられた２つの固定接点部と、各可動接点側端子に設けられた２つの可動接触片と、各可動接触片に設けられかつ各固定接点部に対向するように配置された２つの可動接点部と、供給された電流の方向により極性が反転する電磁石部と、電磁石部の極性に応じて異なる方向に回動する１つの回動ブロックとを備えている。
【０００３】
前記電磁継電器では、ハウジングが、一面に開口部を有する中空箱状のベースと、この開口部を覆うカバーとで構成されている。また、前記電磁継電器では、固定接点側端子、可動接点側端子および可動接触片で構成され、可動接触片が、ベース内で動接点部が固定接点部に対して接触または開離する方向に並んで配置されている２つの回路が形成されている。
【先行技術文献】
【特許文献】
【０００４】
【特許文献１】ＵＳ２００９／００３３４４６Ａ１
【発明の概要】
【発明が解決しようとする課題】
【０００５】
しかし、前記電磁継電器では、２つの回路は、ハウジング内に設けられた２つの収容部にそれぞれ配置されているが、２つの収容部は、ベースの開口部側に隣接して開口しており、ハウジングの内部において、その開口側で空間が相互に繋がっている。このため、例えば、電磁継電器を小型化すると、２つの回路間に十分な絶縁距離を確保できなくなり、２つの回路間が相間短絡するおそれがある。
【０００６】
そこで、本発明は、相間短絡を防止できる複数極の電磁継電器を提供することを課題とする。
【課題を解決するための手段】
【０００７】
本発明の一態様の電磁継電器は、
箱形の絶縁性のハウジングと、
前記ハウジングに固定され、前記ハウジングの外部から前記ハウジングの内部まで延びていると共に、前記ハウジングの内部に位置する第１固定接点部を有する板状の第１固定接点側端子と、
前記ハウジングに固定され、前記ハウジングの外部から前記ハウジングの内部まで延びていると共に、前記第１固定接点側端子に対して電気的に独立して配置されている板状の第１可動接点側端子と、
前記ハウジングの内部に配置されかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する第１可動接触片と、
前記ハウジングに固定され、前記ハウジングの外部から前記ハウジングの内部まで延びかつ前記第１固定接点側端子および前記第１可動接点側端子に対して電気的に独立して配置されていると共に、前記ハウジングの内部に位置する第２固定接点部を有する板状の第２固定接点側端子と、
前記ハウジングに固定され、前記ハウジングの外部から前記ハウジングの内部まで延びていると共に、前記第１固定接点側端子、前記第１可動接点側端子、および、前記第２固定接点側端子に対して電気的に独立して配置されている板状の第２可動接点側端子と、
前記ハウジングの内部に配置されかつ前記第２可動接点側端子と電気的に接続されていると共に、前記第２固定接点部に対向する第２可動接点部を有し、前記第２可動接点部が前記第２固定接点部に対して前記接離方向に弾性変形する第２可動接触片と
を備え、
前記第１固定接点側端子、前記第１可動接点側端子、および、前記第１可動接触片が第１導電部を構成し、前記第２固定接点側端子、前記第２可動接点側端子、および、前記第２可動接触片が第２導電部を構成し、前記第１導電部と前記第２導電部とが、前記接離方向に並んで配置されており、
前記ハウジングが、
前記ハウジングの内部に配置され、前記第１導電部を収容する第１収容部と、
前記第１収容部に対して前記接離方向に隣接した状態で前記ハウジングの内部に配置され、前記第２導電部を収容する第２収容部と、
前記第１収容部と前記第２収容部とを仕切る絶縁壁部と
を有し、
前記第１収容部が、前記絶縁壁部の前記接離方向に交差する高さ方向の一端部の第１収容部側に設けられた第１底面と、前記絶縁壁部の前記高さ方向の他端部の第１収容部側に設けられた第１開口部とを有すると共に、
前記第２収容部が、前記絶縁壁部の前記高さ方向の前記他端部の第２収容部側に設けられた第２底面と、前記絶縁壁部の前記高さ方向の前記一端部の第２収容部側に設けられた第２開口部とを有する。
【発明の効果】
【０００８】
前記態様の電磁継電器によれば、ハウジングが、ハウジングの内部に配置され、第１導電部を収容する第１収容部と、第１収容部に対して接離方向に隣接した状態でハウジングの内部に配置され、第２導電部の一部を収容する第２収容部と、第１収容部と第２収容部とを仕切る絶縁壁部とを有している。また、第１収容部が、絶縁壁部の接離方向に交差する高さ方向の一端部に設けられた第１底面と、絶縁壁部の高さ方向の他端部に設けられた第１開口部とを有し、第２収容部が、絶縁壁部の高さ方向の他端部に設けられた第２底面と、絶縁壁部の高さ方向の一端部に設けられた第２開口部とを有している。すなわち、第１収容部の第１開口部と第２収容部の第２開口部とは、絶縁壁部の高さ方向において、相互に反対方向に開口しているため、第１収容部と第２収容部とが、絶縁壁部の高さ方向において同一方向に隣接して開口している電磁継電器と比較して、第１収容部と第２収容部との間の空間距離および延面距離を大きくすることができる。その結果、第１収容部に収容されている第１導電部と第２収容部に収容されている第２導電部との間に十分な絶縁距離を確保でき、第１導電部と第２導電部との間の相間短絡を防止できる。
【図面の簡単な説明】
【０００９】
【図１】本発明の一実施形態の電磁継電器の斜視図。
【図２】図１の電磁継電器の図１とは異なる方向から見た斜視図。
【図３】図１のIII-III線に沿った断面図。
【図４】第１カバーおよび第２カバーを取り除いた状態の図１のIII-III線に沿った断面図。
【図５】図１の電磁継電器の第１カバーを取り外した状態の上面図。
【図６】図１の電磁継電器の第２カバーを取り外した状態の底面図。
【図７】図１の電磁継電器の駆動ユニットを説明するための上面図。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
本発明の一実施形態の電磁継電器１は、図１に示すように、箱形の絶縁性のハウジング１０と、このハウジング１０にそれぞれ固定された第１固定接点側端子２０、第１可動接点側端子３０、第２固定接点側端子４０、および、第２可動接点側端子５０を備えている。
【００１２】
第１固定接点側端子２０、第１可動接点側端子３０、第２固定接点側端子４０、および、第２可動接点側端子５０は、それぞれ長手方向の中間部が屈曲した略Ｌ字の矩形板状で導電性を有している。また、第１固定接点側端子２０および第１可動接点側端子３０の間に、第２固定接点側端子４０および第２可動接点側端子５０が配置されていると共に、第１固定接点側端子２０、第１可動接点側端子３０、第２固定接点側端子４０、および、第２可動接点側端子５０のハウジング１０の外部側の端部が、略一直線に並んでいる。
【００１３】
ハウジング１０は、図１および図２に示すように、略矩形箱状のベース１１と、略矩形板状の第１カバー１２および第２カバー１３とで構成され、図３および図４に示すように、その内部に第１収容部１４、第２収容部１５、および、駆動ユニット収容部１６を有している。
【００１４】
第１収容部１４、第２収容部１５、および、駆動ユニット収容部１６の各々は、図３および図４に示すように、ベース１１の短手方向（すなわち、図３および図４の左右方向）において第４側壁１１４から第３側壁１１３に向かって、第２収容部１５、第１収容部１４、および、駆動ユニット収容部１６の順に並んで配置されている。すなわち、第１収容部１４は、第２収容部１５に対して、ベース１１の短手方向に隣接して配置され、駆動ユニット収容部１６は、第２収容部１５に対して、ベース１１の短手方向における第１収容部１４の反対側に隣接して配置されている。
【００１５】
第１絶縁壁部１７および第２絶縁壁部１８は、図５に示すように、それぞれベース１１の長手方向に延びかつベース１１の短手方向に並んで配置され、ベース１１の高さ方向の第１端部１７１、１８１（すなわち、図３および図４の上端部）同士が板状の第３絶縁壁部１９１で相互に接続され、ベース１１の長手方向の第２側壁１１２側の端部同士が第４絶縁壁部１９２で相互に接続されている。
【００１６】
第１収容部１４は、第１絶縁壁部１７および第２絶縁壁部１８のベース１１の高さ方向（すなわち、図３および図４の上下方向）の第１端部１７１、１８１（図３および図４では、上端部）の第１収容部１４側に設けられた第１底面１４１と、第１絶縁壁部１７および第２絶縁壁部１８の高さ方向の第２端部１７２、１８２（図３および図４では、下端部）の第１収容部１４側に設けられた第１開口部１４２とを有している。また、図５に示すように、第２絶縁壁部１８のベース１１の長手方向の第１側壁１１１側の端部には、第２絶縁壁部１８をベース１１の短手方向に貫通して第１収容部１４と駆動ユニット収容部１６とに連通する第１通路部１４３が設けられている。
【００１７】
第２収容部１５は、第１絶縁壁部１７のベース１１の高さ方向の第２端部１７２（図３および図４では、下端部）の第２収容部１５側に設けられた第２底面１５１と、第１絶縁壁部１７の高さ方向の第１端部１７１（図３および図４では、上端部）の第２収容部１５側に設けられた第２開口部１５２とを有している。また、図５に示すように、第２収容部１５のベース１１の長手方向の第２側壁１１２側の端部には、第２側壁１１２沿って第３側壁１１３に向かって延びて駆動ユニット収容部１６に接続されている第２通路部１５３が設けられている。この第２通路部１５３は、ベース１１の底面および第２側壁１１２と、第４絶縁壁部１９２と、第１カバー１２とで構成されている。
【００１８】
駆動ユニット収容部１６は、第２絶縁壁部１８の第２端部１８２（図３および図４では、下端部）の駆動ユニット収容部１６側に設けられた第３底面１６１と、第２絶縁壁部１８の高さ方向の第１端部１８１（図３および図４では、上端部）の駆動ユニット収容部１６側に設けられた第３開口部１６２とを有している。
【００１９】
第１カバー１２は、第１収容部１４の第１開口部１４２および駆動ユニット収容部１６の第３開口部１６２を覆うように、ベース１１に取り付けられている。また、第２カバー１３２は、第２収容部１５の第２開口部１５２を覆うように、ベース１１に取り付けられている。
【００２０】
第１固定接点側端子２０は、図５に示すように、ベース１１の長手方向（すなわち、図２の左右方向）に対向する第１側壁１１１および第２側壁１１２のうちの第１側壁１１１に固定され、ハウジング１０の外部から第１収容部１４まで延びている。
【００２１】
詳しくは、第１固定接点側端子２０は、ハウジング１０の外部をベース１１の第１側壁１１１からベース１１の短手方向に沿って第３側壁１１３から第４側壁１１４に向かう方向（すなわち、図５の下向き）に延びる外端子２０１と、外端子２０１の第１側壁１１１側の端部に接続され、ハウジング１０の内部をベース１１の第１側壁１１１からベース１１の長手方向に沿って第２側壁１１２に向って延びる内端子２０２とで構成されている。内端子２０２の第４側壁１１４に対向する面には、第１固定接点部２１が固定されている。第１固定接点部２１は、ベース１１の第１側壁１１１近傍に配置されている。
【００２２】
第１可動接点側端子３０は、図５に示すように、ベース１１の第２側壁１１２の第１固定接点側端子２０よりも第４側壁１１４側に固定され、第１固定接点側端子２０に対して電気的に独立した状態でハウジング１０の外部から第１収容部１４まで延びている。
【００２３】
詳しくは、第１可動接点側端子３０は、図６に示すように、ハウジング１０の外部をベース１１の第２側壁１１２からベース１１の短手方向に沿って第３側壁１１３から第４側壁１１４に向かう方向に延びる外端子３０１と、外端子３０１の第２側壁１１２側の端部に接続され、ハウジング１０の内部をベース１１の第２側壁１１２からベース１１の長手方向に沿って第１側壁１１１に向って延びる内端子３０２とで構成されている。
【００２４】
図６に示すように、第１可動接点側端子３０の内端子３０２の第１側壁１１１側の端部３０３には、第１可動接触片３１が設けられている。第１可動接触片３１は、第１収容部１４に配置され、第１可動接点側端子３０の端部３０３から第１固定接点側端子２０に向かって延びている。また、第１可動接触片３１は、一例として３枚の導電性を有する弾性変形可能な矩形の板部材をその板厚方向に重ねた板状積層体で構成され、その長手方向の一端部の板面が第１可動接点側端子３０の内端子３０２の端部３０３の板面に接触した状態で固定されている。第１可動接触片３１の長手方向の他端部のベース１１の第３側壁１１３に対向する面には、第１可動接点部３２が固定されている。この第１可動接点部３２は、第１固定接点部２１に対して対向するように配置され、第１可動接触片３１が弾性変形することにより、第１固定接点部２１に対してベース１１の短手方向沿いに接触または開離するようになっている。
【００２５】
なお、第１可動接触片３１の第１可動接点部３２と、第１可動接点側端子３０の端部３０３との間には、ベース１１の第３側壁１１３に向かってＵ字状に突出した湾曲部３３が設けられている。この湾曲部３３により、第１可動接触片３１が弾性変形したときの第１可動接触片３１の撓み量を吸収および緩和し、円滑な動作特性を確保することができる。
【００２６】
第２固定接点側端子４０は、図５に示すように、ベース１１の第２側壁１１２の第１可動接点側端子３０よりも第４側壁１１４側に固定され、第１固定接点側端子２０および第１可動接点側端子３０に対して電気的に独立した状態でハウジング１０の外部から第２収容部１５まで延びている。
【００２７】
詳しくは、第２固定接点側端子４０は、ハウジング１０の外部をベース１１の第２側壁１１２からベース１１の短手方向に沿って第３側壁１１３から第４側壁１１４に向かう方向に延びる外端子４０１と、外端子４０１の第２側壁１１２側の端部に接続され、ハウジング１０の内部をベース１１の第２側壁１１２からベース１１の長手方向に沿って第１側壁１１１に向かって延びる内端子４０２とで構成されている。内端子４０２の第３側壁１１３に対向する面には、第２固定接点部４１が固定されている。第２固定接点部４１は、ベース１１の第２側壁１１２近傍に配置されている。
【００２８】
第２可動接点側端子５０は、図５に示すように、ベース１１の第４側壁１１４の第１側壁１１１側の端部に固定され、第１固定接点側端子２０、第１可動接点側端子３０、および、第２固定接点側端子４０に対して電気的に独立した状態でハウジング１０の外部から第２収容部１５まで延びている。
【００２９】
詳しくは、第１可動接点側端子３０は、ハウジング１０の外部をベース１１の第４側壁１１４からベース１１の短手方向に沿って第３側壁１１３から離れる方向に延びる外端子５０１と、外端子５０１の第４側壁１１２側の端部に接続され、ハウジング１０の内部を第４側壁１１４からベース１１の長手方向に沿って第１側壁１１１から第２側壁１１２に向かう方向に延びる内端子５０２とで構成されている。
【００３０】
図５に示すように、第２可動接点側端子５０の内端子５０２の第２側壁１１１側の端部５０３には、第２可動接触片５１が設けられている。第２可動接触片５１は、第１可動接触片３１の板厚方向（すなわち、ベース１１の短手方向）で第１可動接触片３１と隣接して第２収容部１５に配置され、第２可動接点側端子５０の端部５０３から第２固定接点側端子４０に向かって延びている。また、第２可動接触片５１は、一例として、第１可動接触片３１と同様に、３枚の導電性を有する弾性変形可能な矩形の板部材をその板厚方向に重ねた板状積層体で構成され、その長手方向の一端部の板面が第２可動接点側端子５０の内端子５０２の端部５０３の板面に接触した状態で固定されている。第２可動接触片５１の長手方向の他端部のベース１１の第４側壁１１４に対向する面には、第２可動接点部５２が固定されている。この第２可動接点部５２は、第２固定接点部４１に対して対向するように配置され、第２可動接触片５１が弾性変形することにより、第２固定接点部４１に対してベース１１の短手方向沿いに接触または開離するようになっている。
【００３１】
なお、第２可動接触片５１の第２可動接点部５２と、第２可動接点側端子５０の端部５０３との間には、ベース１１の第４側壁１１４に向かってＵ字状に突出した湾曲部５３が設けられている。この湾曲部５３により、第２可動接触片５１が弾性変形したときの第２可動接触片５１の撓み量を吸収および緩和し、円滑な動作特性を確保することができる。
【００３２】
また、第１固定接点側端子２０、第１可動接点側端子３０、および、前記第１可動接触片３１が第１導電部３を構成し、第２固定接点側端子４０、第２可動接点側端子５０、および、第２可動接触片５１が第２導電部４を構成している。第１導電部３は、第１可動接点側端子２０の外端子２０１および第１可動接点側端子３０の外端子３０１を除いた部分が第１収容部１４に収容され、第２導電部４は、第２可動接点側端子４０の外端子４０１および第２可動接点側端子５０の外端子５０１を除いた部分が第２収容部１５に収容されている。
【００３３】
また、電磁継電器１は、図５に示すように、電磁石部６０、回動ブロック７０、絶縁性の第１可動部材９０、および、絶縁性の第２可動部材１００を有する駆動ユニット２を備えている。この駆動ユニット２は、ハウジング１０の駆動ユニット収容部１６に収容されている。
【００３４】
電磁石部６０は、図５に示すように、駆動ユニット収容部１６の第２側壁１１２に隣接する位置に配置されている。この電磁石部６０は、ベース１１の長手方向に延びる巻回中心軸ＣＬを中心に巻回されたコイル６１と、巻回中心軸ＣＬが延びる電磁石部６０の軸方向の両端からコイル６１の外面に沿ってそれぞれ延びている板状の第１ヨーク６２および板状の第２ヨーク６３とを有している。第１ヨーク６２および第２ヨーク６３は、第１可動接触片３１および第２可動接触片５１と電磁石部６０との間に配置されている。なお、図示していないが、電磁石部６０にはコイル端子が設けられており、このコイル端子を介して、電磁石部６０に２つの異なる方向の電流を選択的に供給可能になっている。
【００３５】
第１ヨーク６２は、図７に示すように、電磁石部６０の軸方向における第１側壁１１１側の端部からベース１１の第１側壁１１１に沿って第３側壁１１３から第４側壁１１４に向かう方向（すなわち、図７の下向き）に延びる接続部６２１と、この接続部６２１の電磁石部６０から遠い方の先端部から巻回中心軸ＣＬの延在方向に沿って第１側壁１１１から第２側壁１１２に向かう方向（すなわち、図７の右向き）に延びる吸着部６２２とで構成されている。
【００３６】
第２ヨーク６３は、図７に示すように、電磁石部６０の軸方向における第２側壁１１２側の端部からベース１１の第２側壁１１２に沿って第３側壁１１３から第４側壁１１４に向かう方向に延びる接続部６３１と、この接続部６３１の電磁石部６０から遠い方の先端部から巻回中心軸ＣＬの延在方向に沿って第２側壁１１２から第１側壁１１１に向かう方向（すなわち、図７の左向き）に延びる吸着部６３２とで構成されている。
【００３７】
第１ヨーク６２の吸着部６２２と第２ヨーク６３の吸着部６３２とは、ベース１１の高さ方向（すなわち、図７の紙面貫通方向）に沿った平面視において、巻回中心軸ＣＬの延在方向に沿って延びる中心線が相互に一致するように配置されている。すなわち、第１ヨーク６２の吸着部６２２の先端面と第２ヨーク６３の吸着部６３２の先端面とは、相互に対向しており、その間に回動ブロック７０を配置可能な回動ブロック配置空間６４が設けられている。
【００３８】
図５に示すように、第１ヨーク６２の吸着部６２２および第２ヨーク６３の吸着部６３２には、ベース１１の高さ方向に突出する突起部６２５、６３５がそれぞれ設けられている。各突起部６２５、６３５は、後述する固定板６６の貫通孔６６１、６６２に嵌合可能になっている。
【００３９】
回動ブロック７０は、図７に示すように、ハウジング１０のベース１１に対して、ベース１１の高さ方向に延びる回動軸７１周りに回動可能に駆動ユニット収容部１６の回動ブロック配置空間６４に配置されて、電磁石部６０に供給された電流の方向に応じてハウジング１０のベース１１に対して異なる方向に回動する。詳しくは、回動ブロック７０は、ブロックハウジング７２（図５に示す）と、ブロックハウジング７２の内部に設けられた永久磁石７３と、この永久磁石７３を挟んで対向するようにブロックハウジング７２にそれぞれ固定された板状の第１鉄片７４および板状の第２鉄片７５とを有している。また、ブロックハウジング７２の第４側壁１１４側かつ第１側壁１１１側の端部には、ベース１１の第１側壁１１１に向かって延びる第１腕部７２１が設けられ、ブロックハウジング７２の第４側壁１１４側かつ第２側壁１１２側の端部には、ベース１１の第２側壁１１２に向かって延びる第２腕部７２２が設けられている。
ている。
【００４０】
第１鉄片７４は、永久磁石７３から第１ヨーク６３に向かって突出する第１端部７４１と、永久磁石７３から第２ヨーク６３に向かって突出する第２端部７４２とを有しており、第１ヨーク６２の吸着部６２２および第２ヨーク６３の吸着部６３２に対して第３側壁１１３側に配置されている。
【００４１】
第２鉄片７５は、永久磁石７３から第１ヨーク６３に向かって突出する第１端部７５１と、永久磁石７３から第２ヨーク６３に向かって突出する第２端部７５２とを有しており、第１ヨーク６２の吸着部６２２および第２ヨーク６３の吸着部６３２に対して第４側壁１１４側に配置されている。
【００４２】
第１鉄片７４および第２鉄片７５の第１端部７４１、７５１間には、第１ヨーク６２が配置されて、第１鉄片７４および第２鉄片７５のいずれかの第１端部７４１、７５１が、回動ブロック７０の回動方向で第１ヨーク６２に接触するように構成されている。また、第１鉄片７４および第２鉄片７５の第２端部７４２、７５２間には、第２ヨーク６３が配置されて、第１鉄片７４および第２鉄片７５のいずれかの第２端部７４２、７５２が、回動ブロック７０の回動方向で第２ヨーク６３に接触するように構成されている。
【００４３】
また、回動ブロック７０は、ハウジング１０のベース１１と、電磁石部６０の第１ヨーク６２および第２ヨーク６３に固定された固定板６６とに回動可能に支持されている。固定板６６は、略矩形の板状で、長手方向の両端部にそれぞれ板厚方向に貫通する貫通孔６６１、６６２を有している。各貫通孔６６１、６６２は、それぞれ第１ヨーク６２の突起部６２５および第２ヨーク６３の突起部６３５に嵌合されている。また、固定板６６の中央には、回動ブロック７０の回動軸７１を構成するブロックハウジング７２の回動軸部７６を挿入可能な軸孔部６６３が設けられている。
【００４４】
第１可動部材９０は、図５に示すように、ベース１１の第１通路部１４３に配置されて、第１可動接触片３１と回動ブロック７０の第１腕部７２１とに接続されていると共に、回動ブロック７０の回動方向に応じて移動して第１可動接触片３１を弾性変形させて第１可動接点部３２を第１固定接点部２１に対して接触または開離させる。
【００４５】
詳しくは、第１可動部材９０は、回動ブロック７０の回動を第１可動接点部３２が第１固定接点部２１に対して接触または開離する接離方向（すなわち、ベース１１の短手方向（図５の上下方向））の直線運動に変換可能であり、かつ、回動ブロック７０の第１腕部７２１の先端部に回動ブロック７０の回動を許容しつつ接続されていると共に、第１可動接触片３１の延在方向における第１側壁１１１側の端部（すなわち、図５の左側の端部）に接続されている。すなわち、第１可動部材９０は、回動ブロック７０の回動により接離方向に移動して、第１可動接触片３１の延在方向における第１側壁１１１側の端部を第１可動接点部３２が第１固定接点部２１に対して接触または開離する接離方向に移動させる。
【００４６】
第２可動部材１００は、図５に示すように、ベース１１の第２通路部１５３に配置されて、第２可動接触片５１と回動ブロック７０の第２腕部７２２とに接続されていると共に、回動ブロック７０の回動方向に応じて移動して第２可動接触片５１を弾性変形させて第２可動接点部５２を第２固定接点部４１に対して接触または開離させる。
【００４７】
詳しくは、第２可動部材１００は、回動ブロック７０の回動を第２可動接点部５２が第２固定接点部４１に対して接触または開離する接離方向（すなわち、図５の上下方向）の直線運動に変換可能であり、かつ、回動ブロック７０の第２腕部７２２の先端部に回動ブロック７０の回動を許容しつつ接続されていると共に、第２可動接触片５１の延在方向における第２側壁１１２側の端部（すなわち、図５の右側の端部）に接続されている。すなわち、第２可動部材１００は、回動ブロック７０の回動により接離方向に移動して、第２可動接触片５１の延在方向における第２側壁１１２側の端部を第２可動接点部５２が第２固定接点部４１に対して接触または開離する接離方向に移動させる。
【００４８】
前記電磁継電器１では、図５に示す動作状態（すなわち、回動ブロック７０の第２鉄片７５の第１端部７５１が、第１ヨーク６２の吸着部６２２に接触し、回動ブロック７０の第１鉄片７４の第２端部７４２が、第２ヨーク６３の吸着部６３２に接触して、第１可動接点部３２と第１固定接点部２１とが接触し、第２可動接点部５２と第２固定接点部４１とが接触した状態）の電磁継電器１の電磁石部６０に所定方向（例えば、図５のＡ方向）の電流を供給して、回動ブロック７０を回動ブロック７０の回動軸７１の延在方向から見て時計回りに回転させる。すると、回動ブロック７０の回転に伴って、各腕部７２１、７２２も時計回りに回転し、第１可動部材９０をベース１１の第４側壁１１４に向かって移動させて、第１可動接点部３２を第１固定接点部２１から開離させると共に、第２可動部材１００をベース１１の第３側壁１１３に向かって移動させて、第２可動接点部５２を第２固定接点部４１から開離させる。これにより、電磁継電器１は、動作状態から復帰状態（すなわち、回動ブロック７０の第１鉄片７４の第１端部７４１が、第１ヨーク６２の吸着部６２２に接触し、回動ブロック７０の第２鉄片７５の第２端部７５２が、第２ヨーク６３の吸着部６３２に接触して、第１可動接点部３２が第１固定接点部２１から開離し、第２可動接点部５２が第２固定接点部４１から開離接触した状態）になる。
【００４９】
動作状態の前記電磁継電器１では、第１可動接触片３１に対して、接離方向に交差する第１可動接触片３１の延在方向の一方側（例えば、図２の左側）に配置されている第１固定接点側端子２０または第１可動接点側端子３０（ここでは、第１固定接点側端子２０）が、電流が供給される端子である。また、第２可動接触片５１に対して、第１可動接触片３１の延在方向の他方側（例えば、図２の右側）に配置されている第２固定接点側端子４０または第２可動接点側端子５０（ここでは、第２固定接点側端子４０）が、電流が供給される端子である。すなわち、前記電磁継電器１では、通電時において、第１固定接点側端子２０、第１可動接点側端子３０、および、第１可動接触片３１で構成される第１導電部３と、第２固定接点側端子４０、第２可動接点側端子５０、および、第２可動接触片５１で構成される第２導電部４とに、相互に反対方向の電流が流れる。
【００５０】
また、復帰状態の電磁継電器１の電磁石部６０に所定方向とは異なる方向（例えば、図５のＢ方向）の電流を供給して、回動ブロック７０を回動ブロック７０の回動軸７１の延在方向から見て反時計回りに回転させる。すると、回動ブロック７０の回転に伴って、各腕部７２１、７２２も反時計回りに回転し、第１可動部材９０をベース１１の第３側壁１１３に向かって移動させて、第１可動接点部３２を第１固定接点部２１に対して接触させると共に、第２可動部材１００をベース１１の第４側壁１１４に向かって移動させて、第２可動接点部５２を第２固定接点部４１に対して接触させる。
【００５１】
前記電磁継電器１では、ハウジング１０が、ハウジング１０の内部に配置され、第１導電部３を収容する第１収容部１４と、第１収容部１４に対して接離方向に隣接した状態でハウジング１０の内部に配置され、第２導電部４の一部を収容する第２収容部１５と、第１収容部１４と第２収容部１５とを仕切る第１絶縁壁部１７とを有している。また、第１収容部１４が、第１絶縁壁部１７の接離方向に交差する（例えば、直交する）高さ方向の一端部に設けられた第１底面１４１と、第１絶縁壁部１７の高さ方向の他端部に設けられた第１開口部１４２とを有し、第２収容部１５が、第１絶縁壁部１７の高さ方向の他端部に設けられた第２底面１５１と、第１絶縁壁部１７の高さ方向の一端部に設けられた第２開口部１５２とを有している。すなわち、第１収容部１４の第１開口部１４２と第２収容部１５の第２開口部１５２とは、第１絶縁壁部１７の高さ方向において、相互に反対方向に開口しているため、第１収容部と第２収容部とが、絶縁壁部の高さ方向において同一方向に隣接して開口している電磁継電器と比較して、第１収容部１４と第２収容部１５との間の空間距離および延面距離を大きくすることができる。その結果、第１収容部１４に収容されている第１導電部３と第２収容部１５に収容されている第２導電部４との間に十分な絶縁距離を確保でき、第１導電部３と第２導電部４との間の相間短絡を防止できる。
【００５２】
また、第１収容部１４の第１開口部１４２と第２収容部１５の第２開口部１５２とが、第１絶縁壁部１７の高さ方向において、相互に反対方向に開口するように第１収容部１４および第２収容部１５を設けることで、第２通路１５３の絶縁性を確保しつつ、ベース１１の第２通路１５３の第４絶縁壁部１９２と第２側壁１１２との間の距離を小さくすることができる。これにより、ベース１１の長手方向において、ベース１１を省スペース化することができる。
【００５３】
また、駆動ユニット収容部１６が、電磁石部６０、回動ブロック７０、第１可動部材９０、および、第２可動部材１００を有する駆動ユニット２を収容しており、第２絶縁壁部１８の高さ方向の一端部に設けられた第３底面１６１と、第２絶縁壁部１８の高さ方向の他端部に設けられた第３開口部１６２とを有している。このため、駆動ユニット２（例えば、第１可動部材９０および第２可動部材１００）を第３開口部１６２を介して同一方向から駆動ユニット収容部１６に収容することができ、容易に組み立て可能な電磁継電器１を実現できる。
【００５４】
また、第１固定接点側端子２０と第１可動接点側端子３０との間に、第２固定接点側端子４０と第２可動接点側端子５０とが配置されている。このため、例えば、第１固定接点側端子および第２可動接点側端子の間に第１可動接点側端子および第２固定接点側端子が配置されていると共に、第１可動接点側端子が第１固定接点側端子に隣接して配置されかつ第２固定接点側端子が第２可動接点側端子に隣接して配置されている電磁継電器と比較して、接離方向における第１可動接触片３１と第２可動接触片５１との間の距離を小さくすることができる。その結果、接離方向（すなわち、ベース１１の短手方向）において、ベース１１を省スペース化することができる。
【００５５】
なお、前記電磁継電器１では、第１可動接点側端子３０の内端子３０２および第１可動接触片３１の第４側壁１１４に対向する板面と、第２可動接点側端子５０の内端子５０２および第２可動接触片５１の第３側壁１１３に対向する板面とが、相互に対向し、かつ、第１可動接点側端子３０の内端子３０２および第１可動接触片３１と、第２可動接点側端子５０の内端子５０２および第２可動接触片５１とが、相互に略平行に延びている。例えば、第１導電部３および第２導電部４に、相互に異なる方向に電流を流すことにより、第１可動接触片３１および第２可動接触片５１に対して、相互に離れる方向に電磁反発力が働き、各可動接点部３２、５２の対応する固定接点部２１、４１に対する接圧を高めることができる。
【００５６】
ところで、電磁反発力は、第１導電部３および第２導電部４間の接離方向における距離（すなわち、ベース１１の短手方向における距離）が小さくなるほど強くなる。前記電磁継電器１では、第１導電部３および第２導電部４が、ベース１１の内部において、それぞれ第１収容部１４および第２収容部１５に収容されているので、第１導電部３および第２導電部４間の絶縁を確保しつつ、第１導電部３および第２導電部４間の接離方向における距離を小さくすることができる。これにより、第１導電部３と第２導電部４との間の相間短絡を防止しつつ、電磁反発力により各可動接点部３２、５２の対応する固定接点部２１、４１に対する接触信頼性の高い電磁継電器１を実現できる。
【００５７】
また、前記電磁継電器１では、２つの導電部（すなわち、第１導電部３および第２導電部４）が設けられているが、これに限らない。導電部は、複数であればよく、３以上の導電部が設けられていてもよい。この場合、各導電部を収容可能な収容部は、導電部の数に合わせて設ければよく、また、隣接する２つの収容部を仕切る絶縁壁部の高さ方向において、隣接する２つの収容部の開口部を相互に反対方向に開口するように設ければよい。
【００５８】
また、駆動ユニット２は、電磁石部６０、回動ブロック７０、第１可動部材９０、および、第２可動部材１００を有する場合に限らない。第１可動接触片３１および第２可動接触片５１を可動させて、第１可動接点部３２を第１固定接点部２１に対して接離させ、第２可動接点部５２を第２固定接点部４１に対して接離させることができる構成であれば、任意の構成を採用できる。
【００５９】
また、前記電磁継電器１では、第１導電部３および第２導電部４に、相互に反対方向の電流が流れるように構成しているが、電磁継電器の設計等に応じて、同じ方向の電流が流れるように構成しても構わない。
【００６０】
以上、図面を参照して本発明における種々の実施形態を詳細に説明したが、最後に、本発明の種々の態様について説明する。
【００６１】
本発明の第１態様の電磁継電器は、
箱形の絶縁性のハウジングと、
前記ハウジングに固定され、前記ハウジングの外部から前記ハウジングの内部まで延びていると共に、前記ハウジングの内部に位置する第１固定接点部を有する板状の第１固定接点側端子と、
前記ハウジングに固定され、前記ハウジングの外部から前記ハウジングの内部まで延びていると共に、前記第１固定接点側端子に対して電気的に独立して配置されている板状の第１可動接点側端子と、
前記ハウジングの内部に配置されかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する第１可動接触片と、
前記ハウジングに固定され、前記ハウジングの外部から前記ハウジングの内部まで延びかつ前記第１固定接点側端子および前記第１可動接点側端子に対して電気的に独立して配置されていると共に、前記ハウジングの内部に位置する第２固定接点部を有する板状の第２固定接点側端子と、
前記ハウジングに固定され、前記ハウジングの外部から前記ハウジングの内部まで延びていると共に、前記第１固定接点側端子、前記第１可動接点側端子、および、前記第２固定接点側端子に対して電気的に独立して配置されている板状の第２可動接点側端子と、
前記ハウジングの内部に配置されかつ前記第２可動接点側端子と電気的に接続されていると共に、前記第２固定接点部に対向する第２可動接点部を有し、前記第２可動接点部が前記第２固定接点部に対して前記接離方向に弾性変形する第２可動接触片と
を備え、
前記第１固定接点側端子、前記第１可動接点側端子、および、前記第１可動接触片が第１導電部を構成し、前記第２固定接点側端子、前記第２可動接点側端子、および、前記第２可動接触片が第２導電部を構成し、前記第１導電部と前記第２導電部とが、前記接離方向に並んで配置されており、
前記ハウジングが、
前記ハウジングの内部に配置され、前記第１導電部を収容する第１収容部と、
前記第１収容部に対して前記接離方向に隣接した状態で前記ハウジングの内部に配置され、前記第２導電部を収容する第２収容部と、
前記第１収容部と前記第２収容部とを仕切る絶縁壁部と
を有し、
前記第１収容部が、前記絶縁壁部の前記接離方向に交差する高さ方向の一端部の第１収容部側に設けられた第１底面と、前記絶縁壁部の前記高さ方向の他端部の第１収容部側に設けられた第１開口部とを有すると共に、
前記第２収容部が、前記絶縁壁部の前記高さ方向の前記他端部の第２収容部側に設けられた第２底面と、前記絶縁壁部の前記高さ方向の前記一端部の第２収容部側に設けられた第２開口部とを有する。
【００６２】
第１態様の電磁継電器によれば、第１収容部の第１開口部と第２収容部の第２開口部とは、絶縁壁部の高さ方向において、相互に反対方向に開口しているため、第１収容部と第２収容部とが、絶縁壁部の高さ方向において同一方向に隣接して開口している電磁継電器と比較して、第１収容部と第２収容部との間の空間距離および延面距離を大きくすることができる。その結果、第１収容部に収容されている第１導電部と第２収容部に収容されている第２導電部との間に十分な絶縁距離を確保でき、第１導電部と第２導電部との間の相間短絡を防止できる。
【００６３】
本発明の第２態様の電磁継電器は、
前記収容部に配置されかつ異なる方向の電流が供給可能な電磁石部と、
前記接離方向および前記絶縁壁部の前記高さ方向に交差する方向に延びる回動軸周りに回動可能に前記ハウジングの内部の回動ブロック配置空間に配置されて、前記電磁石部に供給された電流の方向に応じて前記ハウジングに対して異なる方向に回動する回動ブロックと、
前記ハウジングの内部に配置されかつ前記回動ブロックの前記回動軸に交差する方向の一端および前記第１可動接触片に接続されていると共に、前記回動ブロックの回動方向に応じて移動して前記第１可動接触片を弾性変形させて前記第１可動接点部を前記第１固定接点部に対して接触または開離させる第１可動部材と、
前記ハウジングの内部に配置されかつ前記回動ブロックの前記回動軸に交差する方向の他端および前記第２可動接触片に接続されていると共に、前記回動ブロックの回動方向に応じて移動して前記第２可動接触片を弾性変形させて前記第２可動接点部を前記第２固定接点部に対して接触または開離させる第２可動部材と
を備え、
前記ハウジングが、前記第１収容部および前記第２収容部に対して前記接離方向に並んで配置され、前記電磁石部、前記回動ブロック、前記第１可動部材、および、前記第２可動部材を有する駆動ユニットを収容する駆動ユニット収容部を有し、
前記駆動ユニット収容部が、前記絶縁壁部の前記高さ方向の前記一端部の駆動ユニット収容部側に設けられた第３底面と、前記絶縁壁部の前記高さ方向の前記他端部の駆動ユニット収容部側に設けられた第３開口部とを有する。
【００６４】
第２態様の電磁継電器によれば、駆動ユニット、例えば、第１可動部材および第２可動部材を第３開口部を介して同一方向から駆動ユニット収容部に収容することができ、容易に組み立て可能な電磁継電器１を実現できる。
【００６５】
本発明の第３態様の電磁継電器は、
前記第１固定接点側端子と前記第１可動接点側端子との間に、前記第２固定接点側端子と前記第２可動接点側端子とが配置されている。
【００６６】
第３態様の電磁継電器によれば、例えば、第１固定接点側端子および第２可動接点側端子の間に第１可動接点側端子および第２固定接点側端子が配置されていると共に、第１可動接点側端子が第１固定接点側端子に隣接して配置されかつ第２固定接点側端子が第２可動接点側端子に隣接して配置されている電磁継電器と比較して、接離方向における第１可動接触片と第２可動接触片との間の距離を小さくすることができる。その結果、接離方向においてハウジングを省スペース化することができる。
【００６７】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６８】
本発明の電磁継電器は、例えば、スマートメータに適用できる。
【符号の説明】
【００６９】
１  電磁継電器
２  駆動ユニット
３  第１導電部
４  第２導電部
１０  ハウジング
１１  ベース
１１１  第１側壁
１１２  第２側壁
１１３  第３側壁
１１４  第４側壁
１２  第１カバー
１３  第２カバー
１４  第１収容部
１４１  第１底面
１４２  第１開口部
１４３  第１通路部
１５  第２収容部
１５１  第２底面
１５２  第２開口部
１５３  第２通路部
１６  駆動ユニット収容部
１７  第１絶縁壁部
１７１  第１端部
１７２  第２端部
１８  第２絶縁壁部
１８１  第１端部
１８２  第２端部
１９１  第３絶縁壁部
１９２  第４絶縁壁部
２０  第１固定接点側端子
２０１  外端子
２０２  内端子
２１  第１固定接点部
３０  第１可動接点側端子
３０１  外端子
３０２  内端子
３０３  端部
３１  第１可動接触片
３２  第１可動接点部
３３  湾曲部
４０  第２固定接点側端子
４０１  外端子
４０２  内端子
４１  第２固定接点部
５０  第２可動接点側端子
５０１  外端子
５０２  内端子
５０３  端部
５１  第２可動接触片
５２  第２可動接点部
５３  湾曲部
６０  電磁石部
６１  コイル
６２  第１ヨーク
６２１  接続部
６２２  吸着部
６３  第２ヨーク
６３１  接続部
６３２  吸着部
６４  回動ブロック配置空間
６６  固定板
７０  回動ブロック
７１  回動軸
７２  ブロックハウジング
７２１  第１腕部
７２２  第２腕部
７３  永久磁石
７４  第１鉄片
７４１  第１端部
７４２  第２端部
７５  第２鉄片
７５１  第１端部
７５２  第２端部
９０  第１可動部材
１００  第２可動部材
ＣＬ  巻回中心軸
【図１】
2019032946.tif 000003
【図２】
2019032946.tif 000004
【図３】
2019032946.tif 000005
【図４】
2019032946.tif 000006
【図５】
2019032946.tif 000007
【図６】
2019032946.tif 000008
【図７】
2019032946.tif 000009